(57)【要約】【課題】  タブレット本体のタブレット操作位置と露出位置間を簡便に移動させて，便利性を向上させた携帯用コンピュータ提供する。【解決手段】  多数のハードウェアを含んで，タブレット操作が可能なタブレット本体と；前記タブレット本体にデータを入力する入力装置本体と；一側が前記タブレット本体の背面に回動できるように結合されて，他側が前記入力装置本体の後方領域に回動できるように結合される一つのリンク部材を含んで，前記タブレット本体は，前記タブレット本体の背面と前記入力装置本体の上部面の間に前記リンク部材が介在するように前記タブレット本体が前記入力装置本体に対して折れたタブレット操作位置と，前記タブレット本体が前記リンク部材と共に前記入力装置本体から離隔されて，前記入力装置本体を外部に露出させる露出位置間を回動することを特徴とする。【選択図】  図１
2006059354.tif 000002
【特許請求の範囲】
【請求項１】
携帯用コンピュータにおいて，
多数のハードウェアを含んで，タブレット操作が可能なタブレット本体と；
前記タブレット本体にデータを入力する入力装置本体と；
一側が前記タブレット本体の背面に回動できるように結合されて，他側が前記入力装置本体の後方領域に回動できるように結合される一つのリンク部材と；
を含み，
前記タブレット本体は，前記タブレット本体の背面と前記入力装置本体の上部面の間に前記リンク部材が介在されるように，前記タブレット本体が前記入力装置本体に対して折れたタブレット操作位置と，前記タブレット本体が前記リンク部材と共に前記入力装置本体から離隔されて前記入力装置本体を外部に露出させる露出位置と，の間で回動することを特徴とする，携帯用コンピュータ。
【請求項２】
前記タブレット本体は，前記入力装置本体に対して着脱することを特徴とする，請求項１に記載の携帯用コンピュータ。
【請求項３】
前記リンク部材と前記タブレット本体の結合領域に備えられて，前記タブレット本体を前記入力装置本体に対して分離できるように結合させる結合手段をさらに含み，
前記結合手段は，
前記タブレット本体と前記リンク部材の中である一つに形成された掛かり部と，前記タブレット本体と前記リンク部材の中で他の一つに回動できるように形成されて前記掛かり部に掛けることができる挟まれ部と，が形成された回転プレートを含むことを特徴とする請求項２に記載の携帯用コンピュータ。
【請求項４】
前記入力装置本体にスライディングできるように形成されて，前記回転プレートと連結されて，前記挟まれ部が前記掛かり部に掛けられた状態及びその状態から解除できるように，前記回転プレートを回動させるラッチ部材をさらに含むことを特徴とする，請求項３に記載の携帯用コンピュータ。
【請求項５】
前記回転プレートには，回転ガイド突起が突出形成されて，
前記リンク部材には，前記回転ガイド突起が挿入される突起ガイド長孔が形成されて，
前記ラッチ部材には，前記タブレット操作位置で前記突起ガイド長孔に挿入された前記回転突起が掛かる回動ガイド長孔が形成されることを特徴とする，請求項４に記載の携帯用コンピュータ。
【請求項６】
前記入力装置本体に回動できるように形成されて，前記ラッチ部材と連結され，前記ラッチ部材を前記入力装置本体に対してスライディングさせるレバーをさらに含むことを特徴とする，請求項５に記載の携帯用コンピュータ。
【請求項７】
前記ラッチ部材には，レバー掛かり突起が突出形成されて，
前記レバーは，
前記入力装置本体の外側に露出配置される把持部と，
前記把持部から延長形成されて，前記入力装置本体内部に前記レバー掛かり突起にかかる掛かり部と，
を含むことを特徴とする，請求項６に記載の携帯用コンピュータ。
【請求項８】
前記入力装置本体の内部に形成されて，前記ラッチ部材のスライディングを誘導するガイド部材と；
前記ガイド部材と前記ラッチ部材を連結するストッパー組立体と；
をさらに含むことを特徴とする，請求項７に記載の携帯用コンピュータ。
【請求項９】
一側は前記入力装置本体に結合されて，他側は前記ラッチ部材に結合され，前記ラッチ部材に弾性力を提供する第１スプリング部材をさらに含むことを特徴とする，請求項８に記載の携帯用コンピュータ。
【請求項１０】
前記リンク部材と前記入力装置本体との間に形成されて，前記リンク部材を前記入力装置本体に対してロッキング及びロッキング解除するロッキング手段をさらに含むことを特徴とする，請求項１に記載の携帯用コンピュータ。
【請求項１１】
前記ロッキング手段は，
前記リンク部材と前記入力装置本体の中で，ある一つに形成された掛かり孔と，前記リンク部材と前記入力装置本体の中で他の一つにスライディングができるように形成されて前記掛かり孔に掛けるフック部と，を有するロッキング部材を含むことを特徴とする，請求項１０に記載の携帯用コンピュータ。
【請求項１２】
前記入力装置本体にスライディングができるように形成されて，前記ロッキング部材と連結して，前記ロッキング部材をスライディングさせる操作ノブをさらに含むことを特徴とする，請求項１１に記載の携帯用コンピュータ。
【請求項１３】
前記リンク部材と前記入力装置本体を回動できるように連結する第１ヒンジ部と；
前記第１ヒンジ部と離隔された位置で前記リンク部材と前記タブレット本体を回動できるように連結する第２ヒンジ部と；
をさらに含むことを特徴とする請求項１２に記載の携帯用コンピュータ。
【請求項１４】
前記第２ヒンジ部により，前記リンク部材に回動できるように結合される支持ユニットをさらに含み，
前記支持ユニットには，前記タブレット操作位置で前記フック部がかかる前記掛かり孔が形成されることを特徴とする，請求項１３に記載の携帯用コンピュータ。
【請求項１５】
前記第１ヒンジ部は，
一対の第１ヒンジ軸と；
前記リンク部材に形成されて，各前記第１ヒンジ軸の一側を支持する第１リンク軸支持部と；
前記入力装置本体に形成されて，各前記第１ヒンジ軸の他側を支持する第１本体軸支持部と；
を含み，
前記各第１ヒンジ軸は，互いに回動できるように結合される第１本体ヒンジ軸部及び第１リンクヒンジ軸部を含むことを特徴とする，請求項１４に記載の携帯用コンピュータ。
【請求項１６】
前記第２ヒンジ部は，
一対の第２ヒンジ軸と；
前記リンク部材に形成されて，各前記第２ヒンジ軸の一側を支持する第２リンク軸支持部と；
前記支持ユニットに形成されて，各前記第２ヒンジ軸の他側を支持する第２本体軸支持部と；
を含み，
前記各第２ヒンジ軸は，互いに回動できるように結合する第２本体ヒンジ軸部及び第２リンクヒンジ軸部を含むことを特徴とする，請求項１５に記載の携帯用コンピュータ。
【請求項１７】
前記入力装置本体には，前記タブレット操作位置で前記リンク部材を収容するリンク部材収容部が備えられることを特徴とする，請求項１６に記載の携帯用コンピュータ。
【請求項１８】
前記リンク部材には，前記タブレット本体と前記入力装置本体の電気的連結のため，コネクター組立体が備えられることを特徴とする，請求項１７に記載の携帯用コンピュータ。
【請求項１９】
一側は前記入力装置本体に結合されて，他側は前記ロッキング部材に結合され，前記ロッキング部材に弾性力を提供する第２スプリング部材をさらに含むことを特徴とする，請求項１８に記載の携帯用コンピュータ。
【請求項２０】
前記リンク部材と前記入力装置本体との間に備えられて，前記リンク部材を前記入力装置本体に対して，ロッキング及びロッキングを解除するロッキング手段をさらに含むことを特徴とする，請求項９に記載の携帯用コンピュータ。
【請求項２１】
前記ロッキング手段は，
前記リンク部材と前記入力装置本体の中で，ある一つに形成される掛かり孔と，前記リンク部材と前記入力装置本体の中で，他の一つにスライディングできるように形成されて前記掛かり孔に掛けるフック部と，を有するロッキング部材を含むことを特徴とする請求項２０に記載の携帯用コンピュータ。
【発明の詳細な説明】
【技術分野】
【０００１】
本発明は携帯用コンピュータに関し，より詳細にはタブレット操作が可能な携帯用コンピュータに関する。
【背景技術】
【０００２】
一般に携帯用コンピュータは，移動性と移動時操作の便利性が要求される。そして，携帯用コンピュータは，ラップトップコンピュータとノートブックコンピュータ，及びパームトップコンピュータ等，携帯できるコンピュータを称する。
【０００３】
このような携帯用コンピュータの一例として，米国特許第６，００５，７６７号明細書に開示された携帯用コンピュータは，多数の機器部品が内蔵されているコンピュータ本体と，コンピュータ本体から画像信号を受信して画面に表示するディスプレー部と，を含む。
【０００４】
そして，このようなディスプレー部は，第１ヒンジ部及び第２ヒンジ部により，コンピュータ本体に対して折れたり，広げたりできるように設けられる。そして，コンピュータ本体の内部には，中央処理処置及びグラフィックチップなどが装着されているメインボードが内蔵されており，コンピュータ本体の外側にはキーボードやマウスなどの入力装置が形成されている。
【０００５】
このような構成を有する従来の携帯用コンピュータは，ディスプレー部がコンピュータ本体に対して折ってある状態を０°とする時，０°を基準として，ディスプレー部がコンピュータ本体に対して約９０°角度に開く状態及びディスプレー部が上向きになるように１８０°開いた状態までディスプレー部の角度を調節することができる。
【０００６】
一方，ディスプレー部にタッチスクリーン技術が内蔵されていて，使用者がタブレット操作を行う場合，反復的にディスプレー部を０°と１８０°の間で回動させなければならない。
【０００７】
従って，このような回動動作がより円滑でより細かい操作ができるように改善して，操作が便利になることが望ましい。
【０００８】
さらに，外観の美しさが重要視されて，外観がスリム化される傾向に従って，携帯用コンピュータの美しくてスリム化された外観を実現できる構造が提示されて，使用者の要求を満足させることが一層望ましい。
【０００９】
【特許文献１】米国特許第６，００５，７６７号明細書
【発明の開示】
【発明が解決しようとする課題】
【００１０】
本発明の目的は，タブレット本体の回動が簡便で便利性を向上させ，外観が美しくてスリムな形態の携帯用コンピュータを提供することである。
【課題を解決するための手段】
【００１１】
前記の目的を達成するために，本発明による携帯用コンピュータは，多数のハードウェアを含んで，タブレット操作が可能なタブレット本体と；前記タブレット本体にデータを入力する入力装置本体と；一側が前記タブレット本体の背面に回動できるように結合されて，他側が前記入力装置本体の後方領域に回動できるように結合される一つのリンク部材を含む。
【００１２】
また，前記タブレット本体は，前記タブレット本体の背面と前記入力装置本体の上部面の間に，前記リンク部材が介在されるように，前記タブレット本体が前記入力装置本体に対して折れたタブレット操作位置と，前記タブレット本体が前記リンク部材と一緒に前記入力装置本体から離隔され，前記入力装置本体を外部に露出させる露出位置の間で回動することを特徴とする。
【００１３】
また，前記タブレット本体は，前記入力装置本体に対して着脱可能することが望ましい。
【００１４】
一方，前記リンク部材と前記タブレット本体の結合領域に備えられて，前記タブレット本体を前記入力装置本体から分離できるように結合する結合手段をさらに含み，前記結合手段は，前記タブレット本体と前記リンク部材の中であれ一つに形成された掛かり部と，前記タブレット本体と前記リンク部材の中で他の一つに回動できるように形成されて前記掛かり部に掛けることができる挟まれ部が形成された回転プレートを含むことが望ましい。
【００１５】
そして，前記入力装置本体にスライディングできるように形成されて，前記回転プレートと連結され，前記挟まれ部が前記掛かり部に掛けられた状態及びその状態から解除ができるように前記回転プレートを回動させるラッチ部材をさらに含む。
【００１６】
また，前記回転プレートには，回転ガイド突起が突出形成されて，前記リンク部材には前記回転ガイド突起が挿入される突起ガイド長孔が形成されて，前記ラッチ部材には，前記タブレット操作位置に前記突起ガイド長孔に挿入された前記回転突起が掛かる回動ガイド長孔が形成されることが望ましい。
【００１７】
一方，前記入力装置本体に回動できるように形成されて，前記ラッチ部材と連結され，前記ラッチ部材を前記入力装置本体に対してスライディングさせるレバーをさらに含む。
【００１８】
そして，前記ラッチ部材には，レバー掛かり突起が突出形成され，前記レバーは，前記入力装置本体の外側に露出配置される把持部と，前記把持部から延長形成されて，前記入力装置本体内部で前記レバー掛かりに掛かる掛かり部を含むことが望ましい。
【００１９】
また，前記入力装置本体の内部に形成されて，前記ラッチ部材のスライディングを案内するガイド部材と；前記ガイド部材と前記ラッチ部材を連結するストッパー組立体をさらに含む。
【００２０】
ここで，一側は前記入力装置本体に結合され，他側は前記ラッチ部材に結合され，前記ラッチ部材に弾性力を提供する第１スプリング部材をさらに含むことが望ましい。
【００２１】
一方，前記リンク部材と前記入力装置本体の間に形成されて，前記リンク部材を前記入力装置本体に対してロッキング及びロッキング解除するロッキング手段をさらに含むことができる。
【００２２】
そして，前記ロッキング手段は，前記リンク部材と前記入力装置本体の中で，ある一つに形成された掛かり孔と，前記リンク部材と前記入力装置本体の中で他の一つにスライディングができるように形成されて前記掛かり孔に掛けることができるフック部を有するロッキング部材を含むことが望ましい。
【００２３】
ここで，前記入力装置本体にスライディングできるように形成されて，前記ロッキング部材と連結して，前記ロッキング部材をスライディングさせる操作ノブをさらに含むことが望ましい。
【００２４】
一方，前記リンク部材と前記入力装置本体を回動できるように連結する第１ヒンジ部と；前記第１ヒンジ部と離隔された位置で前記リンク部材と前記タブレット本体を回動できるように連結する第２ヒンジ部をさらに含む。
【００２５】
また，前記第２ヒンジ部により，前記リンク部材に回動できるように結合される支持ユニットをさらに含んで，前記支持ユニットには前記タブレット操作位置で前記フック部がかかる前記掛かり孔が形成されることが望ましい。
【００２６】
一方，前記第１ヒンジ部は，一対の第１ヒンジ軸と；前記リンク部材に形成されて，各前記第１ヒンジ軸の一側を支持する第１リンク軸支持部と；前記入力装置本体に形成されて，各前記第１ヒンジ軸の他側を支持する第１本体軸支持部を含んで，前記各第１ヒンジ軸は互いに回動できるように結合する第１本体ヒンジ軸部及び第１リンクヒンジ軸部を含むことが望ましい。
【００２７】
また，前記第２ヒンジ部は，一対の第２ヒンジ軸と；前記リンク部材に形成されて，前記第２ヒンジ軸の一側を支持する第２リンク軸支持部と；前記支持ユニットに形成されて，各前記第２ヒンジ軸の他側を支持する第２本体軸支持部を含んで，前記各第２ヒンジ軸は互いに回動できるように結合する第２本体ヒンジ軸部及び第２リンクヒンジ軸部を含むことが望ましい。
【００２８】
そして，前記入力装置本体には，前記タブレット操作位置に前記リンク部材を収容するリンク部材収容部が備えられることが望ましい。
【００２９】
一方，前記リンク部材には，前記タブレット本体と前記入力装置本体の電気的連結のため，コネクター組立体が備えられることが望ましい。
【００３０】
また，一側は前記入力装置本体に結合されて，他側は前記ロッキング部材に結合され，前記ロッキング部材に弾性力を提供する第２スプリング部材をさらに含むことが望ましい。
【００３１】
一方，前記リンク部材と前記入力装置本体に間に備えられて，前記リンク部材を前記入力装置本体に対してロッキング及びロッキング解除するロッキング手段をさらに含む。
【００３２】
そして，前記ロッキング手段は，前記リンク部材と前記入力装置本体の中で，ある一つに形成された掛かり孔と，前記リンク部材と前記入力装置本体の中で他の一つにスライディングできるように形成されて，前記掛かり孔に掛けることができるフック部を有するロッキング部材を含むことが望ましい。
【発明の効果】
【００３３】
本発明によって，タブレット本体のタブレット操作位置と露出位置の間を簡便に移動させることができて，便利性を向上させた携帯用コンピュータを提供する。
【００３４】
また，タブレット操作位置で，リンク部材は，タブレット本体と入力装置本体の間に介在されて外部に露出されず，外観が美しくてスリムな形態の携帯用コンピュータを提供する。
【発明を実施するための最良の形態】
【００３５】
以下に添付図面を参照しながら，本発明の好適な実施形態について詳細に説明する。なお，本明細書および図面において，実質的に同一の機能構成を有する構成要素については，同一の符号を付することにより重複説明を省略する。
【００３６】
本発明による携帯用コンピュータは，図１及び図２に示されたように，多数のハードウェアを含んでタブレット操作が可能なタブレット本体１０と，タブレット本体１０が図２のＡ方向に分離できるようにタブレット本体１０と連結する入力装置本体２０と，タブレット本体１０と入力装置本体２０の間に備えられたヒンジ組立体１２０を含む。
【００３７】
タブレット本体１０は，外観を形成する外部ケーシング１２と，外部ケーシング１２内部に収容されてメインボードをはじめとするＣＰＵ及びＲＡＭなどを含んだ多数のハードウェアと，外部ケーシング１２により支持されて画像を表示するディスプレー部１１を含む。
【００３８】
外部ケーシング１２の背面には，図３に示されたように，板面から陥没した陥没部１５と，陥没部１５の板面から突出した一対の掛かり止め１３と，陥没部１５の板面から陥没した一対のガイド溝１４と，一対のガイド溝１４の間に位置する接続部１６が形成される。
【００３９】
掛かり止め１３には，回転プレート１３０に形成された回転突起１３１が掛かる状態及びその状態から解除することができる。また，図３に示されたように，掛かり止め１３に回転突起１３１が掛かる状態が維持されると，タブレット本体１０は入力装置本体２０から分離せず，入力装置本体２０に対して結合状態が維持される。
【００４０】
入力装置本体２０は，図４に示されたように，外観を形成する上部ケーシング２１と，上部ケーシング２１の下部に結合される下部ケーシング３０を含む。
【００４１】
上部ケーシング２１には，入力するためのキーボード２６と，上部板面から陥没したリンク部材収容部２４と，板面を貫通する貫通口２５と，貫通口２５と連通しながら後述するフック部材１００の出入のためのフッキング部挿入口２７が形成される。上部ケーシング２１には，リンク部材収容部２４の後方側に一対のヒンジ軸ギャップ５と，一対のヒンジ軸ギャップ５の間に位置するケーブルギャップ３が結合される。
【００４２】
上部ケーシング２１には，一対のヒンジ軸ギャップ５と結合される一対の結合部２３が突出形成されて，ケーブルギャップ３が結合される差込溝２２が形成される。
【００４３】
ヒンジ軸ギャップ５と結合部２３の間に，第１本体ヒンジ軸部１６４ａが介在するようにヒンジ軸ギャップ５と結合部２３が互いに結合されて，第１本体ヒンジ軸部１６４ａはヒンジ軸ギャップ５と結合部２３により支持される。
【００４４】
差込溝２２に結合されたケーブルギャップ３は，下部ケーシング３０に形成されたケーブルギャップ支持部３８により支持される。
【００４５】
上部ケーシング２１と下部ケーシング３０の間には，図４及び図５に示されたように，タブレット本体１０を入力装置本体２０に対して分離できるように結合させる結合手段と，ヒンジ組立体１２０のリンク部材１２６を入力装置本体２０に対してロッキング及びロッキング解除するロッキング手段が備えられる。
【００４６】
結合手段は，タブレット本体１０に形成された掛かり部１３と，掛かり止め１３に掛けることができるように回転プレート１３０に形成された挟まれ部である回転突起１３１と，直線方向に沿ってスライディングできるように下部ケーシング３０に形成されて回転プレート１３０を回動させるラッチ部材４０と，ラッチ部材４０を下部ケーシング３０に対してスライディングさせるレバー６０を含む。そしてレバー６０には，レバー６０の移動方向に対して反対方向に弾性力を与える第４スプリング部材３２が結合される。
【００４７】
ラッチ部材４０は，図４に示されたように，直線方向に沿ってスライディングできるように下部ケーシング３０に形成され，ラッチ部材４０には回転プレート１３０とラッチ部材４０のスライディングを誘導するガイド部材７０と，ラッチ部材４０の移動を操作するレバー６０が結合されている。ラッチ部材４０とガイド部材７０の間には，ストッパー組立体８０，８４が形成される。
【００４８】
ラッチ部材４０は，下部ケーシング３０に形成された一対のラッチ部材ガイドリーブ３７の上に配置されて，ラッチ部材４０の移動方向に対して反対方向に弾性力を与える第１スプリング部材４３により下部ケーシング３０に連結されている。
【００４９】
ラッチ部材４０は，図５に示されたように，板面に貫通形成されたガイド長孔４１と，第１スプリング部材４３との結合のためのスプリング固定止め４２と，レバー６０との結合のためのレバー掛かり突起４５と，ストッパー組立体８０，８４との結合のためのストッパー締結部４６と，回転プレート１３０との結合のための回動ガイド長孔４４を含む。
【００５０】
ガイド長孔４１には，図４の下部ケーシング３０に突出形成されたラッチ部材ボス３４が挿入されて，スプリング固定止め４２には，一側が下部ケーシング３０に固定された第１スプリング部材４３の他側が結合される。
【００５１】
ストッパー締結部４６には，ストッパー組立体８０，８４をラッチ部材４０に固定させる第２スクリュー４７が締結される。
【００５２】
ガイド部材７０は，ラッチ部材４０とストッパー組立体８０，８４を間に置いて配置されて，ラッチ部材４０の直線移動を誘導する。
【００５３】
図５に示されたように，ガイド部材７０には下部ケーシング３０に形成されたガイド部材ボス３３に結合されるガイド部材ボス締結孔７１が形成されて，ラッチ部材４０の移動に対応して，後述するストッパー組立体８０，８４のストッパー突起８２を収容する第１乃至第３区間７２，７３，７４が形成される。
【００５４】
ストッパー組立体８０，８４は，図５に示されたように，ラッチ部材４０とガイド部材７０を連結するストッパー８０と，ストッパー８０に結合される第３スプリング部材８４を含む。
【００５５】
ストッパー８０には，ラッチ部材４０のストッパー締結部４６に締結される第２スクリュー４７が挿入されるようにストッパー貫通孔８１が形成されて，ラッチ部材４０の移動により，ガイド部材７０の第１乃至第３区間７２，７３，７４に沿って移動するストッパー突起８２が形成される。
【００５６】
第３スプリング部材８４は，ストッパー８０の上部に結合され，ストッパー８０を下部方向に向かって，弾性的に加圧する。第３スプリング部材８４は，一端部に形成された第３スプリング締結孔８５に挿入される第２スクリュー４７により，ストッパー８０の上部に固定されて，第３スプリング部材８４の他端部はストッパー８０に形成された突起８３の上に配置される。
【００５７】
図５のレバー６０は，ラッチ部材４０の移動のため，使用者が把持できる把持部６１と，把持部６１から延長形成されてラッチ部材４０のレバー掛かり突起４５にかかるレバーガイド部６２と，把持部６１とレバーガイド部６２の間に形成されたレバー締結孔６３を含む。
【００５８】
把持部６１は，下部ケーシング３０の外側に露出配置されて，レバーガイド部６２は，レバー６０とラッチ部材４０の連結のため，ラッチ部材４０のレバー掛かり突起４５に掛かる状態が維持される。
【００５９】
レバー締結孔６３には，下部ケーシング３０に形成されたレバーボス３１が回動できるように収容されて，レバー締結孔６３とレバー締結孔６３に収容されるレバーボス３１によりレバー６０は下部ケーシング３０に対して回動できるように支持される。
【００６０】
ロッキング手段は，後述するホルダー部材１７０に形成された掛かり孔１７４と，掛かり孔１７４に掛けることができるフック部であるフック部材１００を備えてラッチ部材４０の上側に配置されるロッキング部材９０と，ロッキング部材９０の移動を操作する操作ノブ１１０を含む。
【００６１】
ロッキング部材９０は，ラッチ部材４０と離隔間隔をおいてラッチ部材４０の上側に配置されて，ラッチ部材４０の移動方向に対して横方向にスライディングできるように下部ケーシング３０に形成される。
【００６２】
ロッキング部材９０の一側は，第２スプリング部材９５によって下部ケーシング３０と連結しており，この第２スプリング部材９５は，ロッキング部材９０に移動方向の反対方向に弾性力を提供する。
【００６３】
ロッキング部材９０には，図５に示されたように，下部ケーシング３０のロッキング部材ボス３５が挿入される複数のロッキング部材ガイド長孔９１と，掛かり孔１７４に掛けることができるフック部材１００と，操作ノブ１１０との結合のための操作ノブ結合孔９３と，一側が下部ケーシング３０に結合された第２スプリング部材９５の他側が結合される第２スプリングかけ９４が形成される。
【００６４】
図４及び図５のフック部材１００は，ロッキング部材９０に第３スクリュー１０２により形成されて，ロッキング部材９０の移動により後述するホルダー部材１７０の掛かり孔１７４にかかり及びかかり解除されるフッキング部１０３と，板面を貫通する第３スクリュー通過孔１０１を含む。ここで，第３スクリュー通過孔１０１には，ロッキング部材９０に形成されたフック部材締結孔９２に締結される第３スクリュー１０２が挿入される。
【００６５】
操作ノブ１１０は，図５に示されたように，ロッキング部材９０の操作ノブ結合孔９３に挿入される操作ノブ結合突起１１１と，使用者が把持できるように下部ケーシング３０外側に露出する操作部１１２を含む。
【００６６】
ヒンジ組立体１２０は，図６に示されたように，タブレット本体１０と入力装置本体２０を連結するリンク部材１２６と，リンク部材１２６と入力装置本体２０を回動できるように連結する第１ヒンジ部と，第１ヒンジ部と離隔された位置で，リンク部材１２６とタブレット本体１０を回動できるように連結する第２ヒンジ部と，第２ヒンジ部とリンク部材１２６の結合領域に回動できるように結合される支持ユニットと，支持ユニットに対して回動自在に結合される回転プレート１３０と，支持ユニットに結合されるコネクター組立体１５０を含む。
【００６７】
リンク部材１２６の一側は，第１ヒンジ部により入力装置本体２０に結合され，リンク部材１２６の他側は，第２ヒンジ部により支持ユニットに結合される。
【００６８】
リンク部材１２６は，図６に示されたように，上部及び下部カバー１２１，１６０を含み，上部カバー１２１は，板面から上向延長された一対の折曲部１２２と，板面を貫通する突起ガイド長孔１２５と，折曲部１２２と対向側に切り取るように形成されて，コネクター組立体１５０の上部を支持する上部コネクター設置部１２３を含む。
【００６９】
上部カバー１２１には，上部コネクター設置部１２３を中心として，両側に下部カバー１６０との結合のための上部カバー締結孔１２４が形成される。
【００７０】
下部カバー１６０は，上部カバー１２１の折曲部１２２に対応する位置に形成された下部カバーボス１６１と，上部コネクター設置部１２３に対応する位置に形成された下部コネクター設置部１６２と，下部コネクター設置部１６２を中心として両側に配置される延長部１６３を含む。
【００７１】
支持ユニットは，リンク部材１２６と回転プレート１３０の間に介在する支持プレート１４０と，支持プレート１４０の両側端部領域に各々結合された一対のホルダー部材１７０を含む。
【００７２】
支持プレート１４０には，中央領域を貫通するコネクター挿入口１４１が形成されて，コネクター挿入口１４１と隣接するように複数の回転案内孔１４２が形成されており，両端部領域には，一対のホルダー部材１７０との結合のためのホルダー締結ボス１４３が形成される。
【００７３】
ホルダー部材１７０は，一対で形成されて，一対のホルダー部材１７０の間にはリンク部材１２６が介在されるように支持プレート１４０の両端部に結合されている。
【００７４】
各ホルダー部材１７０には，ホルダー締結ボス１４３との結合のため第１スクリュー１７３が挿入される第１スクリュー通過孔１７２と，後述する第２ヒンジ軸１６５の第２本体ヒンジ軸部１６５ａを支持する開口１７１が形成される。
【００７５】
回転プレート１３０は，支持ユニットに対して回動できるように結合されて，中央領域に貫通部１３３が形成されて，外側に延長された一対の回転突起１３１が形成されており，上部板面から突出した一対の回転突出部１３２が形成されて，下部板面から突出した複数の回転結合突起（図示せず）が形成される。ここで，回転結合突起は支持プレート１４０の回転案内孔１４２に収容される。
【００７６】
コネクター組立体１５０は，支持プレート１４０のコネクター挿入口１４１を通して，回転プレート１３０の貫通部１３３に挿入される。
【００７７】
コネクター組立体１５０は，タブレット本体１０の背面に形成された接続部１６に接続されるドッキングコネクター１５２と，ドッキングコネクター１５２を支持するコネクター上部カバー１５１及びコネクター下部カバー１５３を含む。
【００７８】
コネクター下部カバー１５３には，両端部領域に差込突起１５４が各々突出形成されており，差込突起１５４は，各延長部１６３により回動できるように支持される。
【００７９】
第１ヒンジ部は，互いに回動自在に結合する第１本体ヒンジ軸部１６４ａ及び第１リンクヒンジ軸部１６４ｂに構成された第１ヒンジ軸１６４と互いに締結されて，第１リンクヒンジ軸部１６４ｂを支持する第１リンク軸支持部である折曲部１２２及び下部カバーボス１６１と，互いに締結されて第１本体ヒンジ軸部１６４ａを支持する第１本体軸支持部であるヒンジ軸ギャップ５と結合部２３を含む。
【００８０】
即ち，図６に示された状態を基準として，一対の第１ヒンジ軸１６４の中で，左側に配置された第１ヒンジ軸１６４を例として説明すると，第１右側ヒンジ軸部１６４ｂは互いに締結される折曲部１２２と下部カバーボス１６１の間で支持されて，第１左側ヒンジ軸部１６４ａは互いに締結されるヒンジ軸ギャップ５と結合部２３の間で支持される。
【００８１】
第２ヒンジ部は，互いに回動できるように結合する第２本体ヒンジ軸部１６５ａ及び第２リンクヒンジ軸部１６５ｂで構成された第２ヒンジ軸１６５と，互いに締結されて第２リンクヒンジ軸部１６５ｂを支持する第２リンク軸支持部である上部カバー１２１の前方領域及び下部カバー１６０の延長部１６３と，互いに締結されて第２本体ヒンジ軸部１６５ａを支持する第２本体軸支持部である支持プレート１４０の両端部領域及び一対のホルダー部材１７０を含む。
【００８２】
図６に示された状態を基準として，一対の第２ヒンジ軸１６５の中で，左側に配置された第２ヒンジ軸１６５を例として説明すると，第２リンクヒンジ軸部１６５ｂは，互いに締結される上部カバー１２１の前方領域と下部カバー１６０の延長部１６３の間で支持されて，第２本体ヒンジ軸部１６５ａは，互いに締結されるホルダー部材１７０と支持プレート１４０の端部領域の間で支持されて，第２本体ヒンジ軸部１６５ａはホルダー部材１７０の開口１７１に挿入される。
【００８３】
一方，図７に示されたように，このような構成を有するヒンジ組立体１２０のリンク部材１２６一側は，入力装置本体２０に対して回動できるように結合されていて，リンク部材１２６の他側に形成された回転プレート１３０の回転突起１３１は，タブレット本体１０の掛かり止め１３から掛けられた状態から解除されてタブレット本体１０がリンク部材１２６の他側から分離された状態である。
【００８４】
図７に示されたように，支持プレート１４０の上部面には回転プレート１３０が結合されていて，支持プレート１４０の下部面には，一対のホルダー部材１７０と，コネクター組立体１５０が結合されている。
【００８５】
ここで，回転プレート１３０の回転突起１３１には，回転ガイド突起１３４が下方突出形成されていて，回転ガイド突起１３４は，リンク部材１２６に形成された突起ガイド長孔１２５を通して，入力装置本体２０に形成されたラッチ部材４０の回動ガイド長孔４４で結合できるようになる。
【００８６】
また，各ホルダー部材１７０には，フック部材１００のフッキング部１０３を掛けることができる掛かり孔１７４が形成されており，コネクター組立体１５０は入力装置本体２０とタブレット本体１０が電気的に連結されるように，タブレット本体１０の背面に形成された接続部１６に接続可能である。
【００８７】
また，接続部１６の両側に配置されるようにタブレット本体１０に形成されたガイド溝１４には，回転プレート１３０の上部面に形成された図６の回転突出部１３２がこのガイド溝１４に沿ってスライディングが可能になるように収容される。
【００８８】
このような構成を有する携帯用コンピュータにおいて，ディスプレー部１１が上向露出されるように入力装置本体２０の上にタブレット本体１０が積層され，タブレット操作が可能な図１のタブレット操作位置で，入力装置本体２０からタブレット本体１０を分離して，タブレット本体１０を携帯しながらタブレット操作が可能な図２の分離位置に変換することができる。
【００８９】
また，ディスプレー部１１が上向に露出されるように，入力装置本体２０の上にタブレット本体１０が積層され，タブレット操作が可能な図１のタブレット操作位置で，タブレット本体１０は，タブレット本体１０を入力装置本体２０に対して傾けて配置して，入力装置本体２０のキーボード２６が外部に露出されるように構成して，入力装置本体２０のキーボード２６で入力作業ができる図１２の一般操作位置に変換させることができる。
【００９０】
図１に示されたように，ディスプレー部１１が外部に露出され，入力装置本体２０の上にタブレット本体１０が積層されて，あるタブレット操作位置からタブレット本体１０が図１２の一般操作位置に移動する場合には次のようである。
【００９１】
まず，図１のタブレット操作位置では図３に示されたように，回転プレート１３０の回転突起１３１がタブレット本体１０の掛かり止め１３にかかり，タブレット本体１０が入力装置本体２０に対してロックされており，図８に示されたように，ロッキング部材９０に結合されたフック部材１００のフッキング部１０３が，支持ユニットのホルダー部材１７０に形成された掛かり孔１７４に掛かり，リンク部材１２６が入力装置本体２０に対してロックされている。
【００９２】
そして，図８に示されたように，回転プレート１３０の回転ガイド突起１３４がリンク部材１２６の突起ガイド長孔１２５を通して，ラッチ部材４０の回動ガイド長孔４４に挿入された状態で，ストッパーのストッパー突起８２がガイド部材７０の第１区間７２に収容された状態である。
【００９３】
このような状態で使用者は操作ノブ１１０をＦ方向に移動させて，入力装置本体２０とタブレット本体１０のロックを解除する。即ち，リンク部材１２６とタブレット本体１０が入力装置本体２０から離隔可能な状態になるようにする。
【００９４】
この時，操作ノブ１１０をＦ方向に移動させると，ロッキング部材９０はＥ方向に移動して，ロッキング部材９０に結合されたフック部材１００もＥ方向に移動する。
【００９５】
また，図９に示されたように，支持プレート１４０に結合されたホルダー部材１７０の掛かり孔１７４に掛かっているフック部材１００のフッキング部１０３が，掛かり孔１７４から掛けられた状態から解除される。即ち，フッキング部１０３と掛かり孔１７４が掛かることにより，タブレット本体１０が結合されたリンク部材１２６が入力装置本体２０に対してロックされた状態が解除される。
【００９６】
このように，タブレット本体１０が結合されたリンク部材１２６が，入力装置本体２０からロック解除された状態で，図１０乃至図１１に示されたように，タブレット本体１０を回動させると，タブレット本体１０の下部に配置された入力装置本体２０のキーボード２６が外部に露出される図１２の一般操作位置に到達するようになる。
【００９７】
即ち，図１０及び図１１に示されたように，タブレット本体１０の前方領域をＧ方向に押してタブレット本体１０の後方領域をＨ方向に持ち上げると，図１２に示されたように，タブレット本体１０は，入力装置本体２０に対して傾けて配置される。この時，ディスプレー部１１は，使用者と向かいあって，入力装置本体２０のキーボード２６は外部に露出されるため，使用者はタブレット本体１０のディスプレー部１１に向かいながら，キーボード２６を操作することができる。
【００９８】
一方，タブレット本体１０は，タブレット本体１０を入力装置本体２０に対して傾けて配置されて，入力装置本体２０のキーボード２６が外部に露出されるようにして，入力装置本体２０のキーボード２６で入力作業ができる図１２の一般操作位置から，またディスプレー部１１が上向露出されるように，入力装置本体２０の上にタブレット本体１０が積層され，タブレット操作ができる図１のタブレット操作位置に移動する場合には，次のようになる。
【００９９】
図１２に示されたように，タブレット本体１０の前方領域をＩ方向に，タブレット本体１０の後方領域をＪ方向に移動する。従って，図１３に示されたように，使用者はタブレット本体１０の背面に結合されたリンク部材１２６と向かいあって，この状態でタブレット本体１０をＫ方向で回動すると，図１，８，１０に示されたように，ディスプレー部１１が上向露出されるように入力装置本体２０の上にタブレット本体１０が積層されタブレット操作が可能なタブレット操作位置（図１参照）に到達するようになる。
【０１００】
また，ディスプレー部１１が上向露出されるように入力装置本体２０の上にタブレット本体１０が積層されて，タブレット操作が可能な図１のタブレット操作位置で，入力装置本体２０からタブレット本体１０を分離してタブレット本体１０を携帯しながらタブレット操作が可能な図２の分離位置に変換される場合には次のようになる。
【０１０１】
まず，図１のタブレット操作位置では，図３に示されたように，回転プレート１３０の回転突起１３１がタブレット本体１０の掛かり止め１３に掛かって，タブレット本体１０が入力装置本体２０に対しロックされて，図８に示されたように，ロッキング部材９０に結合されたフック部材１００のフッキング部１０３が支持ユニットのホルダー部材１７０に形成された掛かり孔１７４にかかり，リンク部材１２６が入力装置本体２０に対してロックされている。
【０１０２】
また，図８に示されたように，回転プレート１３０の回転ガイド突起１３４がリンク部材１２６の突起ガイド長孔１２５を通して，ラッチ部材４０の回動ガイド長孔４４に挿入された状態で，ストッパー８０のストッパー突起８２がガイド部材７０の第１区間７２に収容された状態である。
【０１０３】
このような初期状態でレバー６０をＢ方向に回動すると，ラッチ部材４０はＣ方向に移動して，それにより，回転プレート１３０がＤ方向に回動する。
【０１０４】
このように回転プレート１３０がＤ方向で回動すると，図９に示されたように，ストッパー８０のストッパー突起８２がガイド部材７０の第１区間７２から第２区間７３に移動して，タブレット本体１０の掛かり止め１３に掛かっていた回転プレート１３０の回転突起１３１が掛かり止め１３から離脱する。即ち，掛かり止め１３と回転突起１３１により入力装置本体２０に対してロックされたタブレット本体１０が，入力装置本体２０から離隔可能な状態になる。
【０１０５】
このように，入力装置本体２０に対してロック解除されたタブレット本体１０を図２で示したように，Ａ方向に分離させると，タブレット本体１０は，分離位置に到達する。この時，入力装置本体２０のリンク部材収容部２４には，リンク部材１２６が収容される。
【０１０６】
従って，使用者は入力装置本体２０から分離したタブレット本体１０を携帯しながらタブレットを操作することができる。
【０１０７】
一方，レバー６０により回転プレート１３０がＤ方向に回動されて，ストッパー突起８２がガイド部材７０の第２区間７３に収容された状態で，使用者がもう一度レバー６０を回転させると，第１スプリング部材４３の弾性力により，ストッパー突起８２がガイド部材７０の第２区間７３から抜け出し，第３区間７４を経て，また第１区間７２に復帰する。
【０１０８】
そしてこれに伴い，レバー６０と回転プレート１３０は図２に示されたように，回動する前の初期位置に弾性によって復帰する。
【０１０９】
このように，本発明による携帯用コンピュータにおいて，図１のタブレット操作位置と，タブレット操作可能な図２の分離位置と，図１２の一般操作位置の間を簡便に変換させることによって，使用者の操作便利性を向上させるだけでなく，図１のタブレット操作位置でリンク部材１２６が外部に露出しなくなるため，全体的外観がスリム化されて外見上綺麗になる。
【０１１０】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【０１１１】
本発明は携帯用コンピュータに利用可能であり，より詳細にはタブレット操作が可能な携帯用コンピュータに利用可能である。
【図面の簡単な説明】
【０１１２】
【図１】携帯用コンピュータのタブレット操作位置を示した斜視図である。
【図２】携帯用コンピュータの分離位置を示した斜視図である。
【図３】回転プレートがタブレット本体の背面に結合されている状態を簡略に示したタブレット本体の背面図である。
【図４】携帯用コンピュータを分解して示した斜視図である。
【図５】図４に示されたラッチ部材，レバー，ガイド部材，ストッパー組立体，ロッキング部材，フック部材，及び操作ノブを拡大して示した説明図である。
【図６】ヒンジ組立体を分解して示した斜視図である。
【図７】ヒンジ組立体からタブレット本体が分離した状態による携帯用コンピュータを後方から示した斜視図である。
【図８】ロッキング手段と結合手段の作動を示す説明図である。
【図９】ロッキング手段と結合手段の作動を示す説明図である。
【図１０】タブレット本体の回動状態を示す説明図である。
【図１１】タブレット本体の回動状態を示す説明図である。
【図１２】タブレット本体の回動状態を示す説明図である。
【図１３】タブレット本体の回動状態を示す説明図である。
【符号の説明】
【０１１３】
３  ケーブルギャップ
５  ヒンジ軸ギャップ
１０  タブレット本体
１１  ディスプレー部
１２  外部ケーシング
１３  掛かり止め
１４  ガイド溝
１５  陥没部
１６  接続部
２０  入力装置本体
２１  上部ケーシング
２２  差込溝
２３  結合部
２４  リンク部材収容部
２５  貫通口
２６  キーボード
２７  フッキング部挿入口
３０  下部ケーシング
３１  レバーボス
３２  第４スプリング部材
３３  ガイド部材ボス
３４  ラッチ部材ボス
３５  ロッキング部材ボス
３７  ラッチ部材案内リーブ
３８  ケーブルギャップ支持部
４０  ラッチ部材
４１  ガイド長孔
４２  スプリング固定止め
４３  第１スプリング部材
４４  回動ガイド長孔
４５  レバー掛かり突起
４６  ストッパー締結部
４７  第２スクリュー
６０  レバー
６１  把持部
６２  レバーガイド部
６３  レバー締結孔
７０  ガイド部材
７０  ガイド部材
７１  ガイド部材ボス締結孔
７２  第１区間
７３  第２区間
７４  第３区間
８０，８４  ストッパー組立体
８１  ストッパー貫通孔
８２  ストッパー突起
８５  第３スプリング締結孔
９０  ロッキング部材
９１  ロッキング部材ガイド長孔
９２  フック部材締結孔
９３  操作ノブ結合孔
９４  第２スプリングかけ
９５  第２スプリング部材
１００  フック部材
１０１  第３スクリュー通過孔
１０２  第３スクリュー
１１０  操作ノブ
１１１  操作ノブ結合突起
１１２  操作部
１２０  ヒンジ組立体
１２１，１６０  上部及び下部カバー
１２２  折曲部
１２３  上部コネクター設置部
１２４  上部カバー締結孔
１２５  突起ガイド長孔
１２６  リンク部材
１３０  回転プレート
１３１  回転突起
１３３  貫通部
１４０  支持プレート
１４１  コネクター挿入口
１４２  回転案内孔
１４３  ホルダー締結ボス
１５０  コネクター組立体
１５１  コネクター上部カバー
１５２  ドッキングコネクター
１５３  コネクター下部カバー
１５４  差込突起
１６２  下部コネクター設置部
１６３  延長部
１６４  第１ヒンジ軸
１６４ａ  第１本体ヒンジ軸部
１６４ｂ  第１リンクヒンジ軸部
１６５  第２ヒンジ軸
１６５ａ  第２本体ヒンジ軸部
１６５ｂ  第２リンクヒンジ軸部
１７０  ホルダー部材
１７１  開口
１７３  第１スクリュー
１７４  掛かり孔
【図１】
2006059354.tif 000003
【図２】
2006059354.tif 000004
【図３】
2006059354.tif 000005
【図４】
2006059354.tif 000006
【図５】
2006059354.tif 000007
【図６】
2006059354.tif 000008
【図７】
2006059354.tif 000009
【図８】
2006059354.tif 000010
【図９】
2006059354.tif 000011
【図１０】
2006059354.tif 000012
【図１１】
2006059354.tif 000013
【図１２】
2006059354.tif 000014
【図１３】
2006059354.tif 000015